(57)【要約】      （修正有）【課題】簡単な装置で、飲料用コップと食品の入った食品容器を同時に片手で持ち、テーブル等を使用せず、歩きながらでも安全に飲食できる連結ホルダーを提供する。【解決手段】軟性な材質で、１枚の板状で構成され、組み立てると中空洞で箸収納部を備えた円筒状の形状をした連結ホルダー１であって、該連結ホルダー下部にはコップが差し込み固定できるコップ止め部ｃ１〜ｃ３を数か所設け、さらに、該連結ホルダー中央部片端に帯状で先端部に差し込み部ｅ１と、もう一方の片端部には、帯状の延長線上に横並びに数か所配した差し込み受け部ａ１〜ａ４と、ストロー差し込み口２を配し、組み立てれば箸などを収納することができる箸収納部４とで構成された構造とした。【選択図】図１
2017127404.tif 000002
【特許請求の範囲】
【請求項１】
食べ物が入った食品容器と飲料用コップを上下に連結させる連結ホルダーであって、軟  性な材質で１枚の板状からなる紙片中央部片端に帯状で先端部に差し込み部と、もう一  方の片端には、該帯状の水平線上に横並びに多種の飲料用コップサイズが装着できるよ  う、差し込み受け部数個を具備し、さらに、ストロー差し込み口をいづれかに配し、前記紙片下部には横並びに飲料用コップの上部縁部が前記紙片内側から外側へ突出することにより係止される飲料用コップ止め部数個と、箸などを収納する箸収納部を形成する帯状で該帯状の先端に差し込み部と、該帯状には折り曲げ線を具備し、前記差し込み部が係止できるよう切欠き部とで構成され、前記紙片中央部片端に設けた差し込み部を、もう一方の紙片片端部に数個設けた差し込み受け部に、飲料用コップのサイズに適合する位置に差し込み係止し、さらに、前記箸収納部を形成するために設けた折り曲げ線で折り曲げ、差し込み部を切欠き部に差し込と中空洞で箸収納部を備えた円筒状の形状を成す構造としたことを特徴とする連結ホルダー。
【請求項２】
前記連結ホルダーは、前記連結ホルダー上部開口部から食品容器を載置し、該食品容器  を側面で支える役割と、下部に落ち込まないよう該食品容器の上部縁部に沿って挟まり  係止できる台形山形の食品容器受け部を上部に設けたことを特徴とする請求項１に記載  する連結ホルダー。
【請求項３】
前記連結ホルダー中央部片端に、横並びに数個具備した差し込み受け部の側面に、装着  する飲料用コップサイズの差し込み位置が明確に分かるよう、飲料用コップサイズを文  字表記したことを特徴とする請求項１又は２に記載する連結ホルダー。
【発明の詳細な説明】
【技術分野】
【０００１】
本発明は、飲料用コップと食品容器を上下に連結し、片手で持ち飲食できるよう対策    を施した、連結ホルダーに関するものである。
【背景技術】
【０００２】
従来から、連結ホルダーに関する器具は提供されている。
（特許文献１）
【先行技術文献】
【特許文献】
【０００３】
【特許文献１】特願２０１４−１３９２６３
【発明の概要】
【発明が解決しようとする課題】
【０００４】
特許文献１は、ホルダー部分の形状が四角錐の形状をしており、開口部の広い面を上    部に、開口部の狭い面を下部に配し、連結器具下部側面４面にコップ上部が差し込み    固定できるよう、切り込み止め部を上下に配し、飲料用コップを連結器具上部開口部    から挿入し装着するとある。この構造であると、一般的に市販されたり業務用として    使用されているコップの種類は多種に及び、特許文献１に記載する連結ホルダーであ    れば、取り付け可能なコップの種類はせいぜい６種類程度が限界である。何故なれば    、切り込み止め部を上部に増やして行く方法もあるが、側面の面積に限界があること    と、切り込み止め部を多く設けると、連結器具下部に切り込んだ切り込み止め部にな    ればなるほど、装着するコップの上部開口部が本来差し込むべき切り込み止め部以外    の止め部に引っ掛かり上手く装着できない。
【０００５】
また、食品容器にテーパー加工を施し食品容器下部面が狭く、上部面が広くなってい    る構造である。その場合、上部に載置する食品容器に重い食品を入れた場合、バラン    スが悪く最悪の場合ひっくり返る恐れがある。
【０００６】
また、食品を食べるとき箸やフォーク、スプーン等を使用するが、その収納箇所が無    いため不便である。
【０００７】
本発明の連結ホルダーは、従来例の上記問題点を解消し、１個の連結ホルダーで一般    的に飲料用とし用いられる多種のコップサイズに適応でき、尚且つ、組み立ての作業    性が早く安価で安定して使用できる連結ホルダーを提供するものである。
【課題を解決するための手段】
【０００８】
次に、上記課題をを解決するために、その手段を説明する。
【０００９】
本発明の請求項１は、食べ物が入った食品容器と飲料用コップを上下に連結させる連    結ホルダーであって、軟性な材質で１枚の板状からなる紙片中央部片端に帯状で先端    部に差し込み部と、もう一方の片端には、該帯状の水平線上に横並びに多種の飲料用コップサイズが装着できるよう、差し込み受け部数個を具備し、さらに、ストロー差し込み口をいづれかに配し、前記紙片下部には横並びに飲料用コップの上部縁部が前記紙片内側から外側へ突出することにより係止される飲料用コップ止め部数個と、箸などを収納する箸収納部を形成する帯状で該帯状の先端に差し込み部と、該帯状には折り曲げ線を具備し、前記差し込み部が係止できるよう切欠き部とで構成され、前記紙片中央部片端に設けた差し込み部を、もう一方の紙片片端部に数個設けた差し込み受け部に、飲料用コップのサイズに適合する位置に差し込み係止し、さらに、前記箸収納部を形成するために設けた折り曲げ線で折り曲げ、差し込み部を切欠き部に差し込と中空洞で箸収納部を備えた円筒状の形状を成す構造としたことを特徴とする連結ホルダー。
【００１０】
本発明の請求項２は、前記連結ホルダー上部開口部から食品容器を載置し、該食品容    器を側面で支える役割と、下部に落ち込まないよう該食品容器の上部縁部に沿って挟    まり係止できる台形山形の食品容器受け部を上部に設けたことを特徴とする連結ホル    ダー。
【００１１】
本発明の請求項３は、前記連結ホルダー中央部片端に、横並びに数個具備した差し込    み受け部の側面に、装着する飲料用コップサイズの差し込み位置が明確に分かるよう    、飲料用コップサイズを文字表記したことを特徴とする連結ホルダー。
【発明の効果】
【００１２】
本発明は以上のように構成されているので、以下に記載されるような効果を奏す。
【００１３】
本発明の連結ホルダーは、両手を使用せず片手で飲食ができるため、利便性と安全    性が高まる。
【００１４】
本発明の連結ホルダーは、１枚の板状から成り組み立て式となっているため場所を取    らず保管ができることと、簡単に組み立てができることで作業性が早く特に業務用で    の使用の場合販売ロスを防ぐことができる。
【００１５】
本発明の連結ホルダーは、１個の連結ホルダーでコップサイズ９オンスから２４オン    スの１６種類に対応することができる。さらに、差し込み帯の長さを長くしたり、差し込み口を多く設けることで、１６種類のコップサイズ以上のものでも対応が可能となる。
【００１６】
本発明の連結ホルダーは、紙製で製作し使い捨て方式とする方法と、軟性なプラスチ    ックやシリコン樹脂等で製作し何回でも使用できる方法の２通りで製作することがで    きる。
【００１７】
本発明の連結ホルダーは、１枚の板状で構成されているため安価で製造できることで
低価格で提供することができる。
【００１８】
本発明の連結ホルダーは、飲料用コップと食品容器が完全に分離されて連結されるた    め、衛生面が保たれるのと、上部に載置した食品容器に入れた食品が下部に装着した飲用水に入り込むことが無い。
【００１９】
本発明の連結ホルダーは、上部に載置する食品容器をプラスチック製の容器を使用す    れば、固形物だけで無く汁物を入れても下部に装着した飲料水に漏れ落ちたりするこ    とが無い。また、耐熱性の容器を使えば熱い汁物でも可能である。
【００２０】
本発明の連結ホルダーは、箸やフォーク、スプーン等が収納できる箇所を設けている    ため利便性が高まる。
【図面の簡単な説明】
【００２１】
【図１】連結ホルダーの展開図である。
【図２】差し込み受け部と飲料用コップサイズ表示文字を示した拡大図である。
【図３】箸収納部を組み立てている斜視図である。
【図４】帯部先端に設けた差し込み部を、差し込み受け部に差し込んでいる斜視図で            ある。
【図５】連結ホルダーの組み立て完成の斜視図である。
【図６】連結ホルダーを飲料用コップ上部から装着している斜視図である。
【図７】連結ホルダーを飲料用コップに装着した斜視図である。
【図８】装着した飲料用コップ上部の縁部が連結ホルダー下部に設けたコップ止め部            に、連結ホルダーの内側から外側に突出して係止された状態を示す斜視図で            ある。
【図９】飲料用コップサイズの違いを示した飲料用コップの斜視図である。
【図１０】食品を入れる食品容器を示した斜視図である。
【図１１】食品容器上部にある縁部を示した斜視図である。
【図１２】連結ホルダーに飲料水の入った飲料用コップを装着し、食品を入れた食品              容器を連結ホルダー上部開口部に載置している斜視図である。
【図１３】連結ホルダーの使用状態を示す斜視図である。
【発明を実施するための形態】
【００２２】
次は、この発明の実施の形態について説明する。
【００２３】
図１の構成を説明する。軟性な材質で１枚の板状で構成され、連結ホルダー１の上部    には、食品容器７を載置したとき食品容器を側面で支える役割と、食品容器７が下部に落ち込まないよう、食品容器縁部８に沿って挟まり係止できるよう台形山形の食品容器受け部f1,f2,f3を設け、前記連結ホルダー１の中央部片端には帯状で該帯部e先端に差し込み部e1と、もう一方の片端には多種のコップサイズに対応できるよう差し込み受け部a1,a2,a3,a4を具備し、装着する飲料用コップ５をどの位置に差し込むかを明示したコップサイズ表示文字b1,b2,b3,b4を表記し、さらに、ストロー１１を差し込むストロー差し込み口２を設けた構造とした。さらに、前記連結ホルダー１下部には、横並びに数か所コップの上部縁部６が前記連結ホルダー内側から外側へ突出することにより係止されるコップ止め部c1,c2,c3と、折り曲げ線g1,g2,g3で折り曲げ、差し込み部dを切欠き部d1に差し込み組み立てると箸収納部４が形成される構造としたものが連結ホルダー１である。
【００２４】
図２は、連結ホルダー１の片端に設けた差し込み受け部a1,a2,a3,a4と、コップサイ    ズ表示文字b1,b2,b3,b4の拡大した図である。差し込み部e1を差し込み受け部a1,a2,    a3,a4のいずれかに差し込み固定する場合、コップサイズによって差し込み位置が分かるように、コップサイズを文字で示した構造である。また、差し込み受け部a1〜a4に向かってコップサイズが大きくなる構造としたものが連結ホルダー１である。
【００２５】
図３は、箸収納部４を組み立てている図である。折り曲げ線g1,g2,g3をそれぞれ折り    曲げ、差し込み部dを切欠き部d1に差し込むと箸収納部４ができあがる構造としたも    のが連結ホルダーである。
【００２６】
図４は、差し込み部e1を差し込み、受け部a3に差し込んでいる図である。
【００２７】
図５は、組み立て完成したものが連結ホルダー１である。
【００２８】
図６は、組み立てた連結ホルダー１を飲料水の入った飲料用コップ５に、飲料用コッ    プ５上部から装着する構造としたものが連結ホルダー１である。
【００２９】
図７は、飲料水が入った飲料用コップ５に連結ホルダー１を装着した状態を示したも    のである  。
【００３０】
図８は、連結ホルダー１に飲料用コップ５が装着した状態を示す拡大図である。連結    ホルダー１の下部に設けたコップ止め部c1,c2,c3に、連結ホルダー１の内側から外側    へ突出してコップ縁部６が係止される構造としたものが連結ホルダー１である。
【００３１】
図９は、連結ホルダー１に装着可能な最大サイズで２４オンス５aと、最小サイズ９    オンス５bを示した図である。本発明の連結ホルダー１個でコップサイズ１６種類に    対応できる構造としたものである。
【００３２】
図１０は、連結ホルダー１の上部開口部から載置する食品容器７である。
【００３３】
図１１は、食品容器７の上部開口部にある食品容器縁部８を示した斜視図である。
【００３４】
図１２は、連結ホルダー１に飲料水の入った飲料用コップ５を装着し、食品１０の入    った食品容器７を連結ホルダー１の上部開口部から載置している状態を示したもので    ある。
【００３５】
図１３は、使用状態を示す斜視図であって、連結ホルダー１下部に飲料水の入った飲    料用コップ５装着し、連結ホルダー１上部には食品１０の入った食品容器７を載置し、箸収納部４には箸９を入れ、ストロー１１を装着した状態を片手で持てる構造とした。
【符号の説明】
【００３６】
１            連結ホルダー
２            ストロー差し込み口
３            手
４            箸収納部
５            飲料用コップ
５a           ２４オンスコップ
５b             ９オンスコップ
６            コップ縁部
７            食品容器
８            食品容器縁部
９            箸
１０            食品
１１            ストロー
１２            食品容器収納部
a1              差し込み受け部
a2              差し込み受け部
a3              差し込み受け部
a4              差し込み受け部
b1              コップサイズ表示文字
b2              コップサイズ表示文字
b3              コップサイズ表示文字
b4              コップサイズ表示文字
c1              コップ止め部
c2              コップ止め部
c3              コップ止め部
d                差し込み部
d1              切欠き部
e                帯部
e1              差し込み部
f1              食品容器受け部
f2              食品容器受け部
f3              食品容器受け部
g1              折り曲げ線
g2              折り曲げ線
g3              折り曲げ線
【図１】
2017127404.tif 000003
【図２】
2017127404.tif 000004
【図３】
2017127404.tif 000005
【図４】
2017127404.tif 000006
【図５】
2017127404.tif 000007
【図６】
2017127404.tif 000008
【図７】
2017127404.tif 000009
【図８】
2017127404.tif 000010
【図９】
2017127404.tif 000011
【図１０】
2017127404.tif 000012
【図１１】
2017127404.tif 000013
【図１２】
2017127404.tif 000014
【図１３】
2017127404.tif 000015